(57)【要約】【課題】監視制御装置とプラント設備の各機器とを無線接続してプラント設備を省スペース化するとともに、プラント機器を所望の箇所に設置することにより制御性能を向上させることができるプラントシステムを提供する。【解決手段】発電設備１０と発電設備１０の運転状態を監視制御する監視制御装置２０との間でデジタル信号又はアナログ信号を送受信するプラントシステムにおいて、プラント設備１０及び監視制御装置２０の双方に設けた無線送受信機１６と、これら無線送受信機１６のうちのプラント設備１０側の少なくとも１つに設けられ、当該無線送受信機１６に電力供給する充電不要な無線送受信用電源１７とを備える。【選択図】  図１
2006023804.tif 000002
【特許請求の範囲】
【請求項１】
プラント設備とこのプラント設備の運転状態を監視制御する監視制御装置との間でデジタル信号又はアナログ信号を送受信するプラントシステムにおいて、
前記プラント設備及び監視制御装置の双方に設けられ、前記プラント設備に設けたセンサ類からの検出信号や作動装置への指令信号を互いに送受信する無線送受信機と、
これら無線送受信機のうちの前記プラント設備側の少なくとも１つに設けられ、当該無線送受信機に電力供給する充電不要な無線送受信用電源と
を備えたことを特徴とするプラントシステム。
【請求項２】
請求項１に記載のプラントシステムにおいて、前記監視制御装置は、前記無線送受信機と演算装置とを組み合わせた基盤で構成されており、前記演算装置は、周期的に前記無線送受信機の受信データ格納エリアに格納された受信データを読み出してその受信バッファに保存するとともに、前記受信バッファに保存した受信データを基に前記プラント設備への指令信号を演算し前記無線送受信機を介して出力することを特徴とするプラントシステム。
【請求項３】
請求項１に記載のプラントシステムにおいて、前記プラント設備は、電気系統と駆動装置とを電気的に接続・遮断し前記駆動装置を駆動・停止させる遮断器を備えており、この遮断器は、前記無線送受信機及びこの無線送受信機に対する前記電気系統からの供給電力を降圧させるトランスを備えていることを特徴とするプラントシステム。
【請求項４】
プラント設備とこのプラント設備の運転状態を監視制御する監視制御装置との間でデジタル信号又はアナログ信号を送受信するプラントシステムにおいて、
前記プラント設備に設けたセンサ類からの検出信号や作動装置への指令信号を互いに送受信する無線送受信機を前記プラント設備及び監視制御装置の双方に設け、これら無線送受信機のうちの前記プラント設備側の少なくとも１つに電力供給する充電不要な無線送受信用電源を設けたこと、
前記監視制御装置を、前記無線送受信機と演算装置とを組み合わせた基盤で構成し、前記演算装置は、周期的に前記無線送受信機の受信データ格納エリアに格納された受信データを読み出してその受信バッファに保存するとともに、前記受信バッファに保存した受信データを基に前記プラント設備への指令信号を演算し前記無線送受信機を介して出力すること、
電気系統と駆動装置とを電気的に接続・遮断し前記駆動装置を駆動・停止させる遮断器を前記プラント設備に備え、この遮断器に、前記無線送受信機及びこの無線送受信機に対する前記電気系統からの供給電力を降圧させるトランスを備えたこと
を特徴とするプラントシステム。
【請求項５】
請求項４に記載のプラントシステムにおいて、前記プラント設備とこれを監視制御する前記監視制御装置とを複数対設け、複数の前記監視制御装置を１箇所に集約したことを特徴とするプラントシステム。
【発明の詳細な説明】
【技術分野】
【０００１】
本発明は、プラント設備とこのプラント設備の運転状態を監視制御する監視制御装置との間でデジタル信号又はアナログ信号を送受信するプラントシステムに関する。
【背景技術】
【０００２】
従来、プラント設備に設けられた作動装置類といった被制御機器やセンサ類等の様々なプラント機器は、それぞれケーブルで監視制御装置と接続され、ケーブルを介して監視制御装置との間でデジタル信号又はアナログ信号を授受していた。そのため、総ケーブル長ができるだけ短くなるように監視制御装置をプラント設備の内部又は近傍に設置しなければならなかった。また、監視制御装置そのものも各プラント機器とケーブルで接続するための端子台や、演算装置に対し入出力する信号を中継する入出力モジュールが必要であった。
【０００３】
それに対し、近年、各プラント機器と監視制御装置との間で無線信号によってデジタル又はアナログの信号を授受するシステムが提唱されている（例えば、特許文献１等参照）。
【０００４】
【特許文献１】特開平１０−７８８０７号公報
【発明の開示】
【発明が解決しようとする課題】
【０００５】
しかしながら、各プラント機器と監視制御装置とを無線接続する場合でも、従来は各プラント機器に電力供給するためにプラント設備内に電力ケーブルを敷設していた。そのため、電力ケーブルの制約から狭隘なスペースにプラント機器を設置することが困難な場合もあり、必ずしも所望の箇所にプラント機器を設置することが容易ではないことから、十分な制御性能を確保することが困難な場合があった。
【０００６】
本発明は、以上の点に鑑みなされたもので、その目的は、監視制御装置とプラント設備の各機器とを無線接続してプラント設備を省スペース化するとともに、プラント機器を所望の箇所に設置することにより制御性能を向上させることができるプラントシステムを提供することにある。
【課題を解決するための手段】
【０００７】
（１）上記目的を達成するために、プラント設備とこのプラント設備の運転状態を監視制御する監視制御装置との間でデジタル信号又はアナログ信号を送受信するプラントシステムにおいて、前記プラント設備及び監視制御装置の双方に設けられ、前記プラント設備に設けたセンサ類からの検出信号や作動装置への指令信号を互いに送受信する無線送受信機と、これら無線送受信機のうちの前記プラント設備側の少なくとも１つに設けられ、当該無線送受信機に電力供給する充電不要な無線送受信用電源とを備えたことを特徴とする。
【０００８】
（２）上記（１）において、好ましくは、前記監視制御装置は、前記無線送受信機と演算装置とを組み合わせた基盤で構成されており、前記演算装置は、周期的に前記無線送受信機の受信データ格納エリアに格納された受信データを読み出してその受信バッファに保存するとともに、前記受信バッファに保存した受信データを基に前記プラント設備への指令信号を演算し前記無線送受信機を介して出力することを特徴とする。
【０００９】
（３）上記（１）において、また好ましくは、前記プラント設備は、電気系統と駆動装置とを電気的に接続・遮断し前記駆動装置を駆動・停止させる遮断器を備えており、この遮断器は、前記無線送受信機及びこの無線送受信機に対する前記電気系統からの供給電力を降圧させるトランスを備えていることを特徴とする。
【００１０】
（４）上記目的を達成するために、また本発明は、プラント設備とこのプラント設備の運転状態を監視制御する監視制御装置との間でデジタル信号又はアナログ信号を送受信するプラントシステムにおいて、前記プラント設備に設けたセンサ類からの検出信号や作動装置への指令信号を互いに送受信する無線送受信機を前記プラント設備及び監視制御装置の双方に設け、これら無線送受信機のうちの前記プラント設備側の少なくとも１つに電力供給する充電不要な無線送受信用電源を設けたこと、前記監視制御装置を、前記無線送受信機と演算装置とを組み合わせた基盤で構成し、前記演算装置は、周期的に前記無線送受信機の受信データ格納エリアに格納された受信データを読み出してその受信バッファに保存するとともに、前記受信バッファに保存した受信データを基に前記プラント設備への指令信号を演算し前記無線送受信機を介して出力すること、電気系統と駆動装置とを電気的に接続・遮断し前記駆動装置を駆動・停止させる遮断器を前記プラント設備に備え、この遮断器に、前記無線送受信機及びこの無線送受信機に対する前記電気系統からの供給電力を降圧させるトランスを備えたことを特徴とする。
【００１１】
（５）上記（４）において、好ましくは、前記プラント設備とこれを監視制御する前記監視制御装置とを複数対設け、複数の前記監視制御装置を１箇所に集約したことを特徴とする。
【発明の効果】
【００１２】
本発明によれば、監視制御装置との間で信号を授受するプラント設備のセンサ類や作動装置の無線送受信機の電源として充電不要な無線送受信機用電源を設けたことにより、プラント設備内において、センサ類や作動装置の無線送受信機に電力供給する電力ケーブルを省略することができる。これにより、監視制御装置とプラント設備の各機器とを無線接続してプラント設備を省スペース化することができるとともに、プラント設備内において、狭所や入り組んだ場所にセンサ類や作動装置を電力ケーブルに制約されずに自由に設置することができ、制御性能を向上させることができる。
【発明を実施するための最良の形態】
【００１３】
以下、図面を用いて本発明のプラントシステムの実施の形態を説明する。
図１は、本発明のプラントシステムの一実施の形態の概略構成を表すブロック図である。
図１に示したプラントシステムは、プラント設備である発電設備１０とこの発電設備を監視制御する監視制御装置２０とを備え、これら発電設備１０と監視制御装置２０との間でデジタル信号又はアナログ信号を送受信（授受）する。本実施の形態においては、プラント設備として発電設備１０を例に挙げ、監視制御装置２０により発電設備１０の運転状態を監視制御する場合を説明する。
【００１４】
発電設備１０は、監視制御装置２０との間でデジタル信号を授受するデジタル信号取合先１１と、監視制御装置２０との間でアナログ信号を授受するアナログ信号取合先１２と、図示しない発電機で得られた電力を分配供給する電気系統１３と、各種駆動装置１４と、駆動装置１４を起動・停止させる遮断器１５とを備えている。
【００１５】
デジタル信号取合先１１は、監視制御装置２０との間でデジタル信号を授受する機器であり、例えば発電設備１０の各所に設けられた制御弁の開度を検出するリミットスイッチや配管等の圧力を検出する圧力スイッチ等のセンサ類、監視制御装置２０からの指令信号を受信するリレー等が含まれる。リミットスイッチや圧力スイッチの場合はその検出結果をデジタル信号で監視制御装置２０に送信し、リレー等の場合は監視制御装置２０からのデジタル信号を受信する。
【００１６】
アナログ信号取合先１２は、監視制御装置２０との間でアナログ信号を授受する機器であり、例えば発電設備１０の燃料供給系統等に設けた流量計や圧力計等のセンサ類、また発電設備１０の各所に設けられた制御弁のソレノイド駆動部等が含まれる。流量計や圧力計の場合はその検出結果をアナログ信号で監視制御装置２０に送信し、ソレノイド駆動部等の場合は監視制御装置２０からのアナログ信号を受信してそれに応じて駆動する。
【００１７】
また、デジタル信号取合先１１及びアナログ信号取合先１２には、それぞれ無線送受信機１６と無線送受信器機電源１７とが搭載されている。無線送受信機用電源１７には充電不要なものが用いられ、例えば燃料電池等が使用される。なお、充電不要な無線送受信機用電源１７は、充電器等を使用せずに無線送受信機１６に電力供給できるものであれば良く、その意味では、例えば太陽電池や風力発電機等といった自然エネルギーから電力を得るもの等も適用可能である。
【００１８】
後述するが、無線送受信機１６は発電設備１０及び監視制御装置２０の双方に設けられ、発電設備１０に設けたセンサ類からの検出信号や作動装置への指令信号を互いに送受信する。ここでいうセンサ類や作動装置とは、デジタル信号取合先１１、アナログ信号取合先１２、遮断器１５等をさす。
【００１９】
駆動装置１４は、発電設備１０において潤滑油等を吐出するポンプやファン、或いは電動弁等を含むものであって、動力ケーブル１８を介して接続された電気系統１３からの電力によって駆動する。
【００２０】
上記遮断器１５は、動力ケーブル１８の途中に設けられており、電気系統１３と駆動装置１４とを電気的に接続・遮断することにより、駆動装置１４を駆動・停止させる。また、本実施の形態では、この遮断器１５は、無線送受信機１６、及びこの無線送受信機１６の電源であって無線送受信機１６に対し動力ケーブル１８を介して電気系統１３から供給される供給電力を降圧させるトランス１９とを備えている。
【００２１】
監視制御装置２０は、演算装置２１と無線送受信機１６とを組み合わせた基盤で構成されている。この監視制御装置２０は、発電設備１０のデジタル信号取合先１１、アナログ信号取合先１２、遮断器１５からの信号をその無線送受信機１６を介して演算装置２１に取り込み、演算装置２１は取り込んだ信号を基に内部プログラムに従って演算し、演算結果をデジタル信号取合先１１、アナログ信号取合先１２、遮断器１５等に出力する。
【００２２】
また、演算装置２１は、ネットワーク２２を介して操作監視器具２３及び保守ツール２４にそれぞれ接続している。操作監視器具２３を適宜操作することで発電設備１０を手動操作することが可能であり、また保守ツール２４を用いて演算装置２１の内部プログラムを変更したり、プログラム演算内容を確認したりすることも可能である。なお、監視制御装置２０の電源２５は特別に限定されず任意に選択可能である。
【００２３】
図２は、監視制御装置２０の概略構成図である。
図２に示すように、無線送受信機１６は、アンテナ２６、受信データ格納エリア２７、送信データ格納エリア２８を備えている。一方、演算装置２１は、受信データ格納エリア２７から読み出した受信データを書き込む受信バッファ２９、受信バッファ２９に格納された受信データを基にした内部プログラムの演算結果を書き込む送信バッファ３０を備えている。また、特に図示していないが、演算装置２１は、データ処理のプログラムやデータ処理に必要な定数を格納したリードオンリーメモリー（ＲＯＭ）、時間計測を行うタイマ、各種演算を行う中央演算処理装置（ＣＰＵ）等を備えている。
【００２４】
上記構成により、監視制御装置２０は、発電設備１０が稼動している最中、その無線送受信機１６によって、デジタル信号取合先１１、アナログ信号取合先１２、遮断器１５等の各無線送受信機１６を介して出力される無線信号３１を受信する。無線信号３１により送られてくる受信データには、データの検出時刻や検出値等の基本的情報の他、取合先情報（送信元情報）、アナログ又はデジタルの信号種別情報、アナログ値又はデジタル値の少なくとも３つが含まれている。無線送受信機１６では、こうした無線信号３１が受信される度にその受信データが受信データ格納エリア２７に書き込まれる。
【００２５】
図３は、監視制御装置２０における受信データの処理手順を表すフローチャートである。
図３に示すように、監視制御装置２０の演算装置２１は、ステップ１１０において、受信データ格納エリア２７内の受信データを前回読み出した時刻から設定時間Ｔが経過したかどうかを判定する。設定時間Ｔが経過する前であってステップ１１０の判定が満たされない場合は再びステップ１１０の手順を行い、設定時間Ｔが経過してステップ１１０の判定が満たされたらステップ１２０に手順を移す。
【００２６】
ステップ１２０に手順を移すと、演算装置２１は、前回の読み出し時刻から現在時刻までの間に書き込まれた受信データ格納エリア２７の受信データを読み出し、続くステップ１３０にて、読み出した受信データをその受信バッファ２９に保存する。
【００２７】
受信バッファ２９に受信データが保存されたら、演算装置２１はステップ１４０に手順を移し、受信バッファ２９に保存された受信データを基に例えば図示しないＲＯＭに格納された内部プログラムに従って演算を行い、その演算結果を続くステップ１５０でその送信バッファ３０に保存してこの手順を終了する。
【００２８】
プラント制御装置２０は、以上のステップ１１０〜１５０の手順を繰り返し行うことによって、逐次発電設備１０から送られてくる受信データを処理・保存する。
【００２９】
なお、発電設備１０から監視制御装置２０に送られるデータは、例えば送信元がデジタル信号取合先１１であれば、例えば発電設備１０の各所に設けたリミットスイッチによる制御弁の開度の検出値や、圧力スイッチによる配管等の圧力の検出値等が代表的に挙げられる。データの送信元がアナログ信号取合先１２である場合は、例えば発電設備１０の燃料供給系統等に設けた流量計や圧力計等のセンサ類等の検出値等が代表的に挙げられる。遮断器１５からは、例えばその駆動状態、すなわち電気系統１３と駆動装置１４との接続／遮断状態が監視制御装置２０に送信される。
【００３０】
図４は、監視制御装置２０における送信データの処理手順を表すフローチャートである。
図３で説明したように送信バッファ３０の保存データが更新されると、図４に示すように、演算装置２１はステップ２１０において、送信バッファ３０の書き込みデータを読み出す。続くステップ２２０では、読み出したデータを送信データ格納エリア２８に書き込むとともに、ステップ２３０に手順を移し、読み出したデータを、デジタル信号取合先１１、アナログ信号取合先１２、遮断器１５のうちの対応する送信先にアンテナ２６を介して送信し、この手順を終了する。
【００３１】
プラント制御装置２０は、以上のステップ２１０〜２３０の手順を繰り返し行うことによって、発電設備１０の各駆動系に指令信号を出力しその作動状態を制御する。
【００３２】
なお、監視制御装置２０から発電設備１０に送信されるデータは、例えば送信先がデジタル信号取合先１１であれば、例えば監視制御装置２０からの指令信号を受信するリレー等に対するデジタルの指令信号が代表的に挙げられる。指令信号によりリレーの接点が切り換えられると、例えば発電設備１０の各所に設けられた対応の制御弁に指令信号が伝達され制御弁等が駆動する。送信先がアナログ信号取合先１２である場合は、例えば発電設備１０の各所に設けられた制御弁のソレノイド駆動部等へのアナログの指令信号等が代表的に挙げられ、入力された指令信号に応じてソレノイド駆動部等が動作する。遮断器１５へは、例えば電気系統１３と各駆動装置１４との接続／遮断状態が指令され、これにより対応する駆動装置１４の駆動／停止が制御される。
【００３３】
ここで、図５は、本発明のプラントシステムの比較例の概略構成を表すブロック図である。図５において図１と同様の部分には同符号を付し説明を省略する。
図５に示した比較例において、本比較例における監視制御装置２０’は、演算装置２１の他、ＰＩＯ５０と端子台５１とを備えている。演算装置２１、ＰＩＯ５０、端子台５１は電線５２により接続されている。本比較例における監視制御装置２０’は、電線５３により電気系統１３に接続されており、電線５３を介して電気系統１３から供給される電力をその電源としている。
【００３４】
本比較例において、端子台５１は、ケーブル５４を介して発電設備１０のデジタル信号取合先１１、アナログ信号取合先１２、遮断器１５にそれぞれ接続している。そして、演算装置２１には、デジタル信号取合先１１、アナログ信号取合先１２、遮断器１５からケーブル５４を介して入力された信号が、端子台５１及びＰＩＯ５０を介して取り込まれる。すると、上記と同様、入力信号を基に演算装置２１の内部プログラムに従って演算処理が行われ、その演算結果がケーブル５４を介してデジタル信号取合先１１、アナログ信号取合先１２、遮断器１５にそれぞれ出力される。
【００３５】
本実施の形態によれば、デジタル信号取合先１１、アナログ信号取合先１２の無線送受信機１６の電源として、例えば燃料電池等といった長寿命で充電不要な無線送受信機用電源１７を設けたことにより、電源設備とデジタル信号取合先１１、アナログ信号取合先１２とを接続する電力ケーブルを敷設することが不要となる。したがって、発電設備１０内において、狭所や入り組んだ場所にデジタル信号取合先１１やアナログ信号取合先１２等を容易に設置することができる。このように、電力ケーブルなしでデジタル信号取合先１１やアナログ信号取合先１２の無線送受信機１６に電力供給することができる構成であるため、発電設備１０の各機器と監視制御装置２０とを無線接続して発電設備１０を省スペース化することができるとともに、デジタル信号取合先１１やアナログ信号取合先１２のスペースさえ確保できれば、それらデジタル信号取合先１１やアナログ信号取合先１２を電力ケーブルに制約されず自由に設置することができ、制御性能の向上にもつながる。
【００３６】
また、一般に、この種のプラントシステムにおいては、発電設備の運転中にはデジタル信号取合先やアナログ信号取合先の無線送受信機は発電電力の一部を使用していたため、これが発電効率を低下させる一因となっていた。それに対し、本実施の形態では、発電電力を使用せず独立した無線送受信機用電源１７により無線送受信機１６に電力供給しているので、発電効率の向上にも寄与する。
【００３７】
また、仮にデジタル信号取合先１１やアナログ信号取合先１２の無線送受信機１６の電源として一般の電池を用いた場合、電力ケーブルの省略にはなるが、電池の寿命が短いために頻繁に電池を交換しなければならず十分な保守性が確保できない。また、運用上重要な役割を担うプラント機器の電池がプラント運転中に切れてしまうと、そのプラント機器の監視制御装置との交信が途絶えてしまい、制御不良（プラント損傷）につながるケースも想定される。
【００３８】
それに対しても、本実施の形態においては、無線送受信機用電源１７に例えば燃料電池のような充電不要なものを採用することにより、メンテナンス性を向上させるとともに上記のような危険ポテンシャルを排除することができる。
【００３９】
また、本実施の形態においては、遮断器１５もトランス１９を介して降圧させて無線送受信機１６に対して電気系統１３からの電力供給する構成を採っているので、デジタル信号取合先１１やアナログ信号取合先１２だけでなく、遮断器１５についても電源設備からの電力ケーブルを省略することができる。このようにセンサ類や被制御機器等といった監視制御システム２０との間でデジタル信号又はアナログ信号を授受するプラント機器に電力供給する電力ケーブルが不要となるので、発電設備１０内に電力ケーブル敷設用のトレイを設ける必要もなくなり、発電設備１０を小型化することが可能となる。したがって、従来スペースが足りずに発電設備を構築できなかった土地にも発電設備を構築することができる。また、発電設備１０内をケーブルレス化することにより、発電設備における設備投資額を削減することもできるとともに、工事費を削減することもできる。
【００４０】
また、発電設備１０と監視制御装置２０との通信ケーブルや発電設備１０内の電力ケーブルを敷設する作業がなくなるため、発電設備１０の建設工期も短縮することができる。このように短期間で発電設備を構築することができるので、急激な電力需要の拡大に対してもより迅速に対応することができる。
【００４１】
また、発電設備１０と監視制御装置２０とが無線接続されているので、図５の比較例に示したようなＰＩＯ５０・端子台５１・電線５２が不要となり監視制御システム２０の構成を簡素かつコンパクトにすることができ、監視制御装置２０の製作費を低減することもできる。また、発電設備１０の運転人員の省人化にも寄与する。
【００４２】
図６は、本発明のプラントシステムの他の実施の形態の概略構成を表すブロック図である。図６において、図１と同様の部分には同符号を付し説明を省略する。
図６に示したように、本実施の形態は、プラント設備１０とこれを監視制御する監視制御装置２０とを複数対設け、複数の監視制御装置２０を１箇所の発電設備運転監視場所３５に集約した例である。
【００４３】
監視制御装置２０及びその周辺機器（すなわちネットワーク２２、操作監視器具２３、保守ツール２４、電源２５）は発電設備１０との間で無線送受信が可能である限り発電設備１０の場所に制約を受けない。そこで、複数の発電設備１０ａ，１０ｂ・・・をそれぞれ監視制御する監視制御装置２０ａ，２０ｂ・・・及び監視制御装置２０ａ，２０ｂ・・・の各周辺機器を、図６に示したように発電設備運転監視場所３５に集約することができる。
【００４４】
多くの場合、発電設備１０ａ，１０ｂ・・・は沿岸地域や山間地域といった人口非密集地域に位置する。発電設備運転監視場所３５は、発電設備１０ａ，１０ｂ・・・から遠く離れた、例えばそれら発電設備を保有している電力会社の本社や支店等の所在場所（例えば都市部）に設置する。
【００４５】
本実施の形態によれば、前述した本発明のプラントシステムの一実施形態と同様の効果に加え、運転監視場所３５にて複数の発電設備１０ａ，１０ｂ・・・を監視・制御することが可能である。また、運転監視場所３５にて保守ツール２４を用いて演算装置２１の内部プログラムを変更したりプログラム演算内容を確認したりすることも可能である。したがって、遠く離れた発電設備１０ａ，１０ｂ・・・に出向くことなく発電設備１０ａ，１０ｂ・・・の監視・制御・プログラムの保守を行うことが可能となり、発電設備１０ａ，１０ｂ・・・の省人化を実現することができる。
【００４６】
なお、以上において、プラント設備の例に発電設備を挙げ、発電設備に対して本発明を適用した場合を例に挙げたが、例えば、農業施設、空港施設、港湾施設、水処理施設、ごみ処理施設等といった他のプラント設備にも本発明は適用可能である。その場合も上記同様の効果を得ることができる。
【図面の簡単な説明】
【００４７】
【図１】本発明のプラントシステムの一実施の形態の概略構成を表すブロック図である。
【図２】本発明のプラントシステムの一実施の形態に備えられた監視制御装置の概略構成図である。
【図３】本発明のプラントシステムの一実施の形態に備えられた監視制御装置における受信データの処理手順を表すフローチャートである。
【図４】本発明のプラントシステムの一実施の形態に備えられた監視制御装置における送信データの処理手順を表すフローチャートである。
【図５】本発明のプラントシステムの比較例の概略構成を表すブロック図である。
【図６】本発明のプラントシステムの他の実施の形態の概略構成を表すブロック図である。
【符号の説明】
【００４８】
１０      発電設備
１１      デジタル信号取合先
１２      アナログ信号取合先
１３      電気系統
１４      駆動装置
１５      遮断器
１６      無線送受信機
１７      無線送受信用電源
１９      トランス
２０      監視制御装置
２１      演算装置
２７      受信データ格納エリア
２８      送信データ格納エリア
２９      受信バッファ
３０      送信バッファ
３５      発電設備運転監視場所
【図１】
2006023804.tif 000003
【図２】
2006023804.tif 000004
【図３】
2006023804.tif 000005
【図４】
2006023804.tif 000006
【図５】
2006023804.tif 000007
【図６】
2006023804.tif 000008